(57)【要約】      （修正有）【課題】コンパクトに折りたためるエコバッグに大きな広告宣伝機能を持たせる。【解決手段】特定のキャラクターあるいはロゴ１２の印刷されたエコバッグ１であって、折り畳むことによってキャラクターやロゴの形に小さく折り畳んで携行することができ、かつそのキャラクターあるいはロゴには近距離無線通信チップ（ＮＦＣチップ）１３を付帯させてあり、ＮＦＣチップにはキャラクターやロゴに関連する特定の店を宣伝するＵＲＬサイトを記憶させている。【選択図】図２
0003231630.tif 000002
【実用新案登録請求の範囲】
【請求項１】
特定のキャラクターあるいはロゴの印刷されたエコバッグであって、
折り畳むことによって当該キャラクターやロゴの形に小さく折り畳んでロゴ形状の収容部に収容することができ、かつ
前記キャラクターあるいはロゴには近距離無線通信チップを付帯させてあり、
前記近距離無線通信チップには前記キャラクターあるいはロゴに関連する特定の店を宣伝するＵＲＬサイトを記憶させていることを特徴とするエコバッグ。
【考案の詳細な説明】
【技術分野】
【０００１】
本考案は、コンパクトに折り畳んで外形が特定の動物やかわいいキャラクタの形状になるエコバッグであって、そのエコバッグに近距離無線通信チップ（ＮＦＣチップ）を付帯させ、キャラクタ形をスマートフォンにかざすことでスマートフォン側のアプリが起動し、ＮＦＣチップに記憶させてある情報を読み出して表示し、あるいはＮＦＣチップに記憶させてあるリンク先のＵＲＬにアクセスして当該リンク先のＵＲＬの情報を表示するエコバッグに関する。
【背景技術】
【０００２】
従来から、店内備え付けの買い物かごに商品を入れてレジに並ぶと、買い物かごごと収容し、商品それぞれに貼り付けられている商品タグと自動的に通信し、買い上げ商品リスト、商品毎の金額と合計金額を計算して精算用のタグに登録し、これを買い物客に持たせ、そのタグをレジに提示すればレジでタグの識別番号に基づいてセンターと通信し、買い上げリストと合計金額をセンターから受け取り、精算させる自動精算システムが知られている。
【０００３】
ところが従来のシステムでは、買い物客が持参しているエコバッグにはキャラクターやロゴ（以下、「ロゴ」と称する。）がプリントされているだけであり、店の特売品の報知、商品の宣伝等の情報をエコバッグに取りつけたＮＦＣチップを通じて買い物客に知らせるといったシステムは知られていない。
【０００４】
加えて、エコバッグをコンパクトに折り畳むことで店のキャラクタの形状になり、そのキャラクタ形状の折り畳み形にＮＦＣチップを付帯させておき、キャラクタ形をスマートフォンにかざすことでスマートフォン側のアプリが起動し、ＮＦＣチップに記憶させてある情報を読み出して表示し、あるいはＮＦＣチップに記憶させてあるリンク先のＵＲＬにアクセスして当該リンク先のＵＲＬの情報を表示するようにした技術は知られていない。
【先行技術文献】
【特許文献】
【０００５】
【特許文献１】特開２０１９−２０４４３１号公報
【特許文献２】特開２０１６−１８４０９３号公報
【非特許文献】
【０００６】
【非特許文献１】サンワサプライ株式会社のＮＦＣチップ製品を紹介しているＵＲＬ      https://www.sanwa.co.jp/product/syohin.asp?code=MM-NFCT  （２０２１年１月１８日現在）
【考案の概要】
【考案が解決しようとする課題】
【０００７】
本考案はこのような従来技術の課題に鑑みてなされたものであり、特定のロゴの印刷されたエコバッグでコンパクトに折り畳むことによって当該キャラクターやロゴの形に小さく折り畳むことができ、かつそのキャラクターやロゴには近距離無線通信チップ（ＮＦＣ）を付帯させ、そのＮＦＣチップには当該キャラクターやロゴに関連する特定の店を宣伝する情報やリンク先のＵＲＬを記憶させ、当該エコバッグを手にした人が携帯するスマートフォンやタブレットＰＣのような携帯端末にてＮＦＣチップに近接させることで店の宣伝情報を再生させあるいは記憶させてあるＵＲＬにリンクさせてその店の催し物情報、セール品情報、特価品情報などの宣伝情報を受信させて表示させ、宣伝効果を上げることができるエコバッグを提供することを目的とする。
【課題を解決するための手段】
【０００８】
本考案は、特定のキャラクターあるいはロゴの印刷されたエコバッグで、折り畳むことによって当該キャラクターやロゴの形に小さく折り畳むことができ、かつそのキャラクターあるいはロゴには近距離無線通信チップ（ＮＦＣチップ）を貼り付けその他の方法で付帯させてあり、そのＮＦＣチップには当該キャラクターやロゴに関連する特定の店を宣伝する情報やリンク先のＵＲＬを記憶させたエコバッグを特徴とする。
【考案の効果】
【０００９】
本考案によれば、このエコバッグを持参する客がスマートフォンやタブレットＰＣのような携帯端末を小さく折り畳んでキャラクターの形あるいはロゴの形をしたエコバッグに近づけると、携帯端末が予め登録しているアプリを起動してＮＦＣチップと通信し、ＮＦＣチップに記憶させてある宣伝情報を再生し、あるいは当該エコバッグに関連する店を宣伝する特定のＵＲＬサイトにリンクし、当該宣伝サイトにアップロードされている宣伝情報、例えばデパートの催し物情報、特価品情報、セール品情報などを閲覧させることができ、デパート等の店には宣伝効果を期待することができ、同時に客にとってはエコバッグの利用を促してエコロジーに寄与できる。
【図面の簡単な説明】
【００１０】
【図１】本考案の１つの実施の形態のエコバッグの開いた状態の正面図。
【図２】上記実施の形態のエコバッグの畳み込み状態の斜視図。
【図３】上記実施の形態のエコバッグに付帯しているＮＦＣチップを通じた通信処理システムのブロック図。
【図４】上記実施の形態のエコバッグのＮＦＣチップを通じた通信処理のフローチャート。
【図５】上記実施の形態のエコバッグに付帯しているＮＦＣチップと利用者の携帯端末との間の通信にて携帯端末に表示される店の宣伝情報の一例を示す説明図。
【図６】上記実施の形態のエコバッグに付帯しているＮＦＣチップと利用者の携帯端末との間の通信にて携帯端末に表示される店の宣伝情報の別の例を示す説明図。
【図７】上記実施の形態のエコバッグに付帯しているＮＦＣチップと利用者の携帯端末との間の通信にて携帯端末に表示される店の宣伝情報のさらに別の例を示す説明図。
【図８】上記実施の形態のエコバッグに付帯しているＮＦＣチップと利用者の携帯端末との間の通信にて携帯端末に表示される店の宣伝情報のさらに別の例を示す説明図。
【考案を実施するための形態】
【００１１】
以下、本考案の実施の形態を図に基づいて詳説する。図１、図２は、本考案の１つの実施の形態のエコバッグ１であり、バッグ本体１１の外面にロゴ１２が取り付けてあり、このロゴ１２の裏側には折り畳み収容部１１Ａが設けてあり、バッグ本体１１はコンパクトに折り畳んでこの折り畳み収容部１１Ａに押し込むことで、外からはロゴ１２の形だけが見える状態にして持ち運ぶことができる。そしてロゴ１２には近距離無線通信チップ（ＮＦＣチップ）１３が付帯させてある。このＮＦＣチップ１３としてキーフォルダー形式の物にすることもできる。
【００１２】
実施の形態のＮＦＣチップ１３は貼り付けが可能なタイプのものであり、記憶内容の書き換えが可能であり、例えば、ロゴ１２を所有する店を宣伝するＵＲＬサイトのアドレスを記憶させてある。
【００１３】
図３には、エコバッグ１を利用した宣伝システムの構成を示している。エコバッグ１のロゴ１２に付帯してあるＮＦＣチップ１３にはロゴ１２を提供する特定の店の宣伝広告用のＵＲＬアドレスを記憶させてある。その店のセンターコンピュータ３は、店の宣伝広告用のＵＲＬアドレスにアクセスしてきた携帯端末１０に対して、予め登録してある宣伝広告情報を配信する。
【００１４】
エコバッグ１の利用者はスマートフォンやタブレットＰＣのような携帯端末１０を持参しており、この携帯端末１０にはＮＦＣ通信アプリがインストールされている。そこで、利用者が図２に示すようにロゴ形状にまでコンパクトに折り畳んだエコバッグ１を持参し、ロゴ１２に付帯しているＮＦＣチップ１３に携帯端末１０を近接させると近距離通信を開始し、ＮＦＣ通信アプリが起動される（図４のステップＳＴ１）。このＮＦＣ通信アプリが起動すれば、携帯端末１０はＮＦＣチップ１３から登録されているＵＲＬに誘導され、そのＵＲＬのサイトにアップロードされている宣伝情報を受信して当該携帯端末１０のスクリーンに表示させる（ステップＳＴ２）。提供されるコンテンツが終了し、ＮＦＣ通信アプリの停止操作があればこの近距離無線通信は停止する（ステップＳＴ３）。
【００１５】
図５−図８は宣伝内容を例示している。ロゴ１２の提供店がデパートであるとしている。入店に際してロゴ１２に付帯しているＮＦＣチップ１３と近距離通信を開始することで、ＮＦＣ通信アプリが起動され、インターネット２を通じてセンターコンピュータ３に繋がり、センターコンピュータ３から図５に例示するようにこの店の全体的な催し内容が案内される。そしてＮＦＣ通信アプリにて、例えば８階催し物会場の催し物情報を求めると、図６に示すように催し物会場である８階の催し物情報が提供される。また図７に示すように２階売り場について情報提供を求めると、婦人服売り場である２階の売り場情報が提供される。また図８に示すように地階食料品売り場の情報を求めると、地階食料品売り場の詳しい売り場情報が提供される。
【００１６】
これによりエコバッグ１を持参してそのロゴ１２の店を利用する客は、エコバッグ１を図２に示すようなコンパクトに折り畳んだロゴ形状の状態にして携行し、店を訪れて携帯端末１０にて店内の催し物情報を取得し、目的の商品を購入することできることになる。そして買い物を済ませれば折り畳み状態のエゴバッグ１を広げて買い物した商品を入れて持ち帰ることができる。
【００１７】
本実施の形態の考案のエコバッグ１では、利用者はそれをロゴ形状にまでコンパクトに折り畳んで携行することができ、手軽、身軽な格好で店を訪れ、小さく折り畳んだ状態のエコバッグ１を取り出し、携帯している携帯端末１０にてそのロゴ１２に付帯しているＮＦＣチップ１３と通信することで訪れた店のＵＲＬにリンクし、店の広告宣伝を携帯端末１０を通じて閲覧することができる。
【００１８】
尚、上記実施の形態では、ＮＦＣチップ１３にはロゴ１２の店の宣伝広告情報を提供するＵＲＬアドレスを記憶させ、携帯端末１０側の近距離通信アプリの起動にて当該ＵＲＬにリンクさせる設定にしたが、これに代えて、利用者が家にいて当該近距離通信アプリを起動させてＮＦＣチップ１３と通信することにより、ＮＦＣチップ１３にロゴ１２の店の宣伝広告情報を提供するＵＲＬアドレスにアクセスして事前にその情報を記憶させておき、店までの移動中に、また店に入ってからでも携帯端末１０にてＮＦＣチップ１３と通信することで店の広告宣伝を閲覧できる仕様にすることもできる。
【００１９】
そうすれば、エコバッグ１の利用者は、家にいながらも小さく折り畳んだ状態のエコバッグ１のロゴ１２に携帯端末１０を近づけることでその店の宣伝広告を閲覧することができ、本日買い物に行くのが良いか明日にした方が良いかとか、何月何日に行くのが良いとかの判断をすることができ、この点でも利便性がある。
【００２０】
さらにＮＦＣ通信アプリとしてはＮＦＣチップに実装するタイプと、携帯端末で活用するタイプとがある。またＮＦＣチップとの通信により起動するアプリとしては最初に携帯端末にダウンロードしてインストールしておくタイプのネイティブアプリ、携帯端末とＮＦＣチップとの通信によりインターネットブラウザーを起動させ、特定のＵＲＬにアクセスして利用するＷＥＢアプリとがある。これらのいずれのタイプを採用するかはＮＦＣチップの提供者による。
【００２１】
携帯端末については、実施の形態ではスマートフォン、タブレットについて説明したが、さらに、ＮＦＣチップ読み取り機能を内蔵し、あるいはＮＦＣチップ読み取り用のリーダーライターを外付けしたＰＣも含むものとする。
【符号の説明】
【００２２】
１  エコバッグ
２  インターネット
３  センターコンピュータ
１０  携帯端末
１２  ロゴ
１３  ＮＦＣチップ
【図１】
0003231630.tif 000003
【図２】
0003231630.tif 000004
【図３】
0003231630.tif 000005
【図４】
0003231630.tif 000006
【図５】
0003231630.tif 000007
【図６】
0003231630.tif 000008
【図７】
0003231630.tif 000009
【図８】
0003231630.tif 000010